(57)【要約】【課題】サーバ端末とプロジェクタ表示端末（ノンＰＣ）との間のネットワークの負荷を軽減する。【解決手段】サーバ端末２とノンＰＣ３というネットワーク構成に教材セレクタ端末４を新たに加える。教材セレクタ端末４において、ネットワーク１を介し、サーバ端末２に保存されている所望の教材を選択する。教材セレクタ端末４は、所望の教材が選択されると、その選択された所望の教材の実行命令をネットワーク１を介してノンＰＣ３へ送る。ノンＰＣ３は、教材セレクタ端末４からの実行命令を受けて、その実行命令を受けた教材の配信命令をネットワーク１を介してサーバ端末２へ送る。サーバ端末２は、ノンＰＣ３からの配信命令を受けて、その配信命令を受けた教材（例えば、動画情報）をノンＰＣ３へ送る。【選択図】  図１
2005259029.tif 000002
【特許請求の範囲】
【請求項１】
サーバ端末に保存されている電子ファイルをネットワークを介してプロジェクタ表示端末へ送る電子ファイル配信方法において、
前記サーバ端末に保存されている所望の電子ファイルを前記ネットワークを介して接続されるセレクタ端末において選択するステップと、
前記セレクタ端末から前記ネットワークを介して前記プロジェクタ表示端末へ前記選択された所望の電子ファイルの実行命令を送るステップと、
前記プロジェクタ表示端末から前記ネットワークを介して前記サーバ端末へ前記実行命令を受けた電子ファイルの配信命令を送るステップと、
前記サーバ端末から前記ネットワークを介して前記プロジェクタ表示端末へ前記配信命令を受けた電子ファイルを送るステップと
を備えたことを特徴とする電子ファイル配信方法。
【請求項２】
サーバ端末に保存されている電子ファイルをネットワークを介してプロジェクタ表示端末へ送る電子ファイル配信システムにおいて、
前記ネットワークを介して前記サーバ端末および前記プロジェクタ表示端末に接続されるセレクタ端末をさらに備え、
前記セレクタ端末は、
前記ネットワークを介して前記サーバ端末に保存されている所望の電子ファイルを選択する手段と、
前記ネットワークを介して前記プロジェクタ表示端末へ前記選択された所望の電子ファイルの実行命令を送る手段とを備え、
前記プロジェクタ表示端末は、
前記ネットワークを介して前記サーバ端末へ前記実行命令を受けた電子ファイルの配信命令を送る手段を備え、
前記サーバ端末は、
前記ネットワークを介して前記プロジェクタ表示端末へ前記配信命令を受けた電子ファイルを送る手段
を備えたことを特徴とする電子ファイル配信システム。
【請求項３】
ネットワークを介してサーバ端末から送られてくる電子ファイルを表示するプロジェクタ表示端末において、
前記ネットワークを介して接続されるセレクタ端末からの前記サーバ端末に保存されている電子ファイルの中から選択された所望の電子ファイルの実行命令を受信する手段と、
前記セレクタ端末から実行命令を受けた電子ファイルの配信命令を前記ネットワークを介して前記サーバ端末へ送る手段と、
前記配信命令に応えて前記サーバ端末から送られてくる電子ファイルを前記ネットワークを介して受信する手段と
を備えたことを特徴とするプロジェクタ表示端末。
【請求項４】
ネットワークを介してプロジェクタ表示端末へ電子ファイルを送るサーバ端末において、
前記ネットワークを介して接続されるセレクタ端末へこのセレクタ端末からの要求に応じ所要の電子ファイルのプロパティ情報を送る手段と、
前記プロジェクタ表示端末から送られてくる前記セレクタ端末において選択された所望の電子ファイルの配信命令を前記ネットワークを介して受信する手段と、
前記配信命令を受けた電子ファイルを前記ネットワークを介して前記プロジェクタ表示端末へ送る手段と
を備えたことを特徴とするサーバ端末。
【請求項５】
ネットワークを介してサーバ端末およびプロジェクタ表示端末に接続されるコンピュータに、
前記サーバ端末に保存されている所望の電子ファイルを前記ネットワークを介して選択させる第１の処理と、
前記プロジェクタ表示端末へ前記選択された所望の電子ファイルの実行命令を前記ネットワークを介して送る第２の処理と、
前記プロジェクタ表示端末から前記ネットワークを介して送られてくるキャプチャ画像を受信し表示する第３の処理と
を実現させるための電子ファイル選択プログラム。
【発明の詳細な説明】
【技術分野】
【０００１】
この発明は、サーバ端末に保存されている電子ファイルをネットワークを介してプロジェクタ表示端末へ送る電子ファイル配信方法、電子ファイル配信システム、プロジェクタ表示端末、サーバ端末および電子ファイル選択プログラムに関するものである。
【背景技術】
【０００２】
従来より、この種の電子ファイル配信システムとして、図５に示すようなシステムが用いられている（例えば、非特許文献１，２参照）。同図において、１はネットワーク（例えば、無線ＬＡＮ）、２はネットワーク１に接続されたサーバ端末、３はネットワーク１に接続されたプロジェクタ表示端末（以下、ノンＰＣと呼ぶ）である。
【０００３】
この電子ファイル配信システムにおいて、サーバ端末２には、動画、写真、市販のソフトで作成された図表などの電子ファイル（教材）が保存されている。これらの教材は、例えば、生物や物理などの授業で使用される。教師は、授業中、ノンＰＣ３を操作することにより、サーバ端末２に保存されている教材の中から所望の教材を選択し、その教材をスクリーンなどに映し出すことができる。例えば、選択された教材が動画であれば、その動画情報Ｓ１がリアルタイムで再生される
【０００４】
【非特許文献１】「ファイルサーバの一般的な設置例とその解説」、「平成１６年３月１５日検索」、インターネット＜URL:http://www.inst.jp/network/ex_file_server.html＞
【非特許文献２】「ストリーミングの概要と利用方法の説明」、「平成１６年３月１５日検索」、インターネット＜URL:http://www.streamwing.com/study.html＞
【発明の開示】
【発明が解決しようとする課題】
【０００５】
しかしながら、上述した従来の電子ファイル配信システムでは、例えば動画情報Ｓ１をノンＰＣ３で再生している間に、次の教材を選択する場合、この教材を選択するための情報Ｓ２が動画情報Ｓ１と合わされ、サーバ端末２とプロジェクタ表示端末３との間のネットワークの負荷が増大する。このため、ファイル再生において、遅延が生じる虞れがある。
【０００６】
本発明は、このような課題を解決するためになされたもので、その目的とするところは、サーバ端末からプロジェクタ表示端末へ電子ファイルを配信する際のサーバ端末とプロジェクタ表示端末との間のネットワークの負荷を軽減することができる電子ファイル配信方法、電子ファイル配信システム、プロジェクタ表示端末、サーバ端末および電子ファイル選択プログラムを提供することにある。
【課題を解決するための手段】
【０００７】
このような目的を達成するために本発明は、サーバ端末に保存されている電子ファイルをネットワークを介してプロジェクタ表示端末へ送る電子ファイル配信方法において、サーバ端末に保存されている所望の電子ファイルをネットワークを介して接続されるセレクタ端末において選択するステップと、セレクタ端末からネットワークを介してプロジェクタ表示端末へ選択された所望の電子ファイルの実行命令を送るステップと、プロジェクタ表示端末からネットワークを介してサーバ端末へ実行命令を受けた電子ファイルの配信命令を送るステップと、サーバ端末からネットワークを介してプロジェクタ表示端末へ配信命令を受けた電子ファイルを送るステップとを設けたものである。
【０００８】
この発明によれば、サーバ端末とプロジェクタ表示端末というネットワーク構成に、セレクタ端末が新たに加えられる。セレクタ端末では、ネットワークを介し、サーバ端末に保存されている所望の電子ファイル（例えば、教材）を選択することができる。すなわち、電子ファイルを選択するための情報（例えば、後述するアジェンダ管理情報、教材管理情報、教材プロパティ情報などのメタデータ）の授受は、サーバ端末とセレクタ端末との間で行われる。セレクタ端末は、所望の電子ファイルが選択されると、その選択された所望の電子ファイルの実行命令をネットワークを介してプロジェクタ表示端末へ送る。プロジェクタ表示端末は、セレクタ端末からの実行命令を受けて、その実行命令を受けた電子ファイルの配信命令（例えば、後述するファイルの位置情報）をネットワークを介してサーバ端末へ送る。サーバ端末は、プロジェクタ表示端末からの配信命令を受けて、その配信命令を受けた電子ファイル（例えば、動画情報）をネットワークを介してプロジェクタ表示端末へ送る。
【０００９】
ここで、本発明において、例えば動画情報をプロジェクタ表示端末で再生している間に、次の電子ファイルを選択する場合、この電子ファイルを選択するための情報の授受はサーバ端末とセレクタ端末との間で行われ、選択された所望の電子ファイルの実行命令がセレクタ端末からプロジェクタ表示端末へ送られ、プロジェクタ表示端末からサーバ端末に送られる情報は実行命令を受けた電子ファイルの配信命令のみとなる。すなわち、本発明において、再生中の動画情報と合わされる情報は電子ファイルの配信命令のみとなり、サーバ端末とプロジェクタ表示端末との間のネットワークの負荷の増大は軽微なものとなる。
なお、本発明は、上述した方法を適用したネットワークシステム、プロジェクタ表示端末、サーバ端末として構成することがだき、コンピュータに実行させる電子ファイル選択プログラムとしても実現することができる。
【発明の効果】
【００１０】
本発明によれば、サーバ端末とプロジェクタ表示端末というネットワーク構成にセレクタ端末が加えられ、電子ファイルを選択するための情報の授受がサーバ端末とセレクタ端末との間で行われ、選択された所望の電子ファイルの実行命令がセレクタ端末からプロジェクタ表示端末へ送られ、プロジェクタ表示端末からサーバ端末に送られる情報が実行命令を受けた電子ファイルの配信命令のみとなるので、サーバ端末からプロジェクタ表示端末へ電子ファイルを配信する際のサーバ端末とプロジェクタ表示端末との間のネットワークの負荷を軽減することができるようになる。
【発明を実施するための最良の形態】
【００１１】
以下、本発明を図面に基づいて詳細に説明する。図１は本発明に係る電子ファイル配信方法の実施に用いる教材配信システムの一例を示すブロック構成図である。この教材配信システムでは、サーバ端末２とプロジェクタ表示端末（ノンＰＣ）３というネットワーク構成に、教材セレクタ端末４を新たに加えている。なお、ノンＰＣ３と教材セレクタ端末４は、同一の部屋（教室）内に配置されている。
【００１２】
教材セレクタ端末４は、プロセッサや記憶装置からなるハードウェアと、これらのハードウェアと協働して各種機能を実現させるプログラムとによって実現され、本実施の形態特有の機能としてサーバ端末２保存されている教材の選択機能（後述）を有している。なお、この実施の形態では、教材セレクタ端末４として、パーソナルコンピュータを用いている。
【００１３】
サーバ端末２も教材セレクタ端末４と同様に、プロセッサや記憶装置からなるハードウェアと、これらのハードウェアと協働して各種機能を実現させるプログラムとによって実現され、本実施の形態特有の機能として教材セレクタ端末４への教材の選択情報送信機能およびノンＰＣ３への教材の配信機能（後述）を有している。
【００１４】
ノンＰＣも教材セレクタ端末４と同様に、プロセッサや記憶装置からなるハードウェアと、これらのハードウェアと協働して各種機能を実現させるプログラムとによって実現され、本実施の形態特有の機能としてサーバ端末２への教材の配信要求機能および教材セレクタ端末４へのキャプチャ画面の送信機能（後述）を有している。
【００１５】
また、本実施の形態において、サーバ端末２のデータベースには、例えば生物や物理というような科目毎に学習指導案のリストＬＳＴ（図２参照）が格納されている。図２において、ＬＳＴ１は生物の学習指導案のリストであり、このリストＬＳＴ１中の各リスト項目ＡＪが学習指導案である。この実施の形態では、個々の学習指導案ＡＪをアジェンダ、学習指導案のリストＬＳＴの集合をアジェンダ管理情報と呼ぶ。
【００１６】
また、サーバ端末２のデータベースには、学習指導案ＡＪ毎にその学習指導案に沿った授業で用いる教材のリストＡＪLST が格納されている。例えば、学習指導案ＡＪ１の教材のリストＡＪ１LST には、使用する教材としてＡ，Ｂ，Ｃ，Ｄが登録されている。この実施の形態では、教材のリストＡＪLST の集合を教材管理情報と呼ぶ。
【００１７】
また、サーバ端末２のデータベースには、教材毎にその教材の本体部分であるファイル本体（動画、写真、市販のソフトで作成された図表など）とそのファイル本体の属性などを記した教材プロパティ情報とが１組にして格納されている。例えば、教材のリストＡＪ１LST に登録されている教材Ａについていうと、その教材Ａのファイル本体ＦＡと教材プロパティ情報ＰＡとが１組にして格納されている。
【００１８】
以下、生物の授業を行う場合を例にとって、図３に示すシーケンス図および図４に示す教材セレクタ端末４の表示画面Ｇを参照しながら、教材セレクタ端末４が有する教材の選択機能、サーバ端末２が有する教材の選択機能送信機能および教材の配信機能、ノンＰＣ３が有する教材の配信要求機能およびキャプチャ画面の送信機能について説明する。
【００１９】
〔教材セレクタ端末における教材の選択〕
教師は、生物の授業を行うに際して、教材セレクタ端末４を起動する（図３に示すステップＳＴ１）。そして、教材セレクタ端末４を操作し、ネットワーク１を介してサーバ端末２へアジェンダ管理情報取得要求を送る（ステップＳＴ２：矢印(１)）。
【００２０】
サーバ端末２は、教材セレクタ端末４からのアジェンダ管理情報取得要求を受けると、データベースに格納されているアジェンダ管理情報（学習指導案のリストＬＳＴの集合）２−１を教材セレクタ端末４へ返送する（ステップＳＴ３：矢印(２)）。このサーバ端末２からのアジェンダ管理情報２−１は、教材セレクタ端末４の表示画面Ｇ中、この表示画面Ｇを４分割した第１の分割画面Ｇ１にツリー形式で表示される（ステップＳＴ４）。なお、分割画面Ｇ１で「ツリー表示」ではなく、「フォルダ表示」を選べば、この分割画面Ｇ１にはサーバ端末２からのアジェンダ管理情報２−１がフォルダ形式で表示される。
【００２１】
ここで、教師は、分割画面Ｇ１にツリー形式で表示されたアジェンダ管理情報２−１において、生物の学習指導案のリストＬＳＴ１を選択する。すると、生物の学習指導案のリストＬＳＴ１中の学習指導案（アジェンダ）ＡＪ１〜ＡＪＮが表示される。教師は、この分割画面Ｇ１に表示された学習指導案ＡＪ１〜ＡＪＮの中から所望の学習指導案を選択する（ステップＳＴ５）。なお、この例では、学習指導案ＡＪ１を選択しており、その学習指導案ＡＪ１を示すブロックが他と区別して反転表示されている。
【００２２】
分割画面Ｇ１で学習指導案ＡＪ１が選択されると、教材セレクタ端末４は、学習指導案ＡＪ１の教材管理情報取得要求をネットワーク１を介してサーバ端末２へ送る（ステップＳＴ６：矢印(３)）。サーバ端末２は、教材セレクタ端末４からの学習指導案ＡＪ１の教材管理情報取得要求を受けて、教材管理情報２−２中の学習指導案ＡＪ１の教材のリストＡＪ１LST を教材セレクタ端末４へ返送する（ステップＳＴ７：矢印(４)）。
【００２３】
このサーバ端末２からの学習指導案ＡＪ１の教材のリストＡＪ１LST は、教材セレクタ端末４の表示画面Ｇ中、この表示画面Ｇを４分割した第２の分割画面Ｇ２に表示される（ステップＳＴ８）。なお、この実施の形態において、分割画面Ｇ２には、学習指導案ＡＪ１の教材のリストＡＪ１LST 中の教材Ａ，Ｂ，Ｃ，Ｄの教材名ＮＡ，ＮＢ，ＮＣ，ＮＤとその教材を代表するサムネイル画像ＧＡ，ＧＢ，ＧＣ，ＧＤが表示される。
【００２４】
ここで、教師は、分割画面Ｇ２に表示された教材学習指導案ＡＪ１の教材のリストＡＪ１LST において、所望の教材を選択する（ステップＳＴ９）。この例では、教材Ａを選択しており、その教材の教材名ＮＡとサムネイル画像ＧＡが他と区別して反転表示されている。
【００２５】
分割画面Ｇ２で教材Ａが選択されると、教材セレクタ端末４は、教材Ａの教材プロパティ情報の取得要求をネットワーク１を介してサーバ端末２へ送る（ステップＳＴ１０：矢印(５)）。サーバ端末２は、教材セレクタ端末４からの教材Ａの教材プロパティ情報の取得要求を受けて、教材Ａの教材プロパティ情報ＰＡを教材セレクタ端末４へ返送する（ステップＳＴ１１：矢印(６)）。このサーバ端末２からの教材Ａの教材プロパティ情報ＰＡは、教材セレクタ端末４の表示画面Ｇ中、この表示画面Ｇを４分割した第３の分割画面Ｇ３に表示される（ステップＳＴ１２）。
【００２６】
ここで、教師は、分割画面Ｇ３に表示された教材Ａの教材プロパティ情報ＰＡを見て、この教材が所望の教材であることを確認して、教材セレクタ端末４の実行キーＫＹ１を押す（ステップＳＴ１３）。すると、教材セレクタ端末４は、ネットワーク１を介してノンＰＣ３へ教材Ａのファイル実行命令を送る（矢印（７））。
【００２７】
ノンＰＣ３は、教材セレクタ端末４からの教材Ａのファイル実行命令を受けて（ステップＳＴ４）、教材Ａのファイル配信開始命令（教材Ａのファイルの位置情報）をネットワーク１を介してサーバ端末２へ送る（ステップＳＴ１５：矢印（８））。サーバ端末２は、ノンＰＣ３からの教材Ａのファイル配信開始命令を受けて、教材Ａのファイル本体（動画、写真、市販のソフトで作成された図表など）ＦＡをデータベース中から探し出し、ノンＰＣ３へ配信する（ステップＳＴ１６：矢印（９））。ノンＰＣ３は、サーバ端末２から配信されてきたファイル本体ＦＡを実行し（ステップＳＴ１６）、そのファイル本体ＦＡ内の情報を再生し、スクリーンなどに映し出す。
【００２８】
また、ノンＰＣ３は、ファイル本体ＦＡの実行中、定期的にその再生画像をキャプチャし、ネットワーク１を介して教材セレクタ端末４へ送る（矢印（10），（11））。このノンＰＣ３からのキャプチャ画像は、教材セレクタ端末４の表示画面Ｇ中、この表示画面Ｇを４分割した第４の分割画面Ｇ４に表示される（ステップＳＴ１８，ＳＴ１９）。
【００２９】
ここで、本実施の形態において、例えば動画情報Ｓ１（図１参照）をノンＰＣ３で再生している間に、次の教材を選択する場合を考えてみる。この場合、教材を選択するための情報（アジェンダ管理情報、教材管理情報、教材プロパティ情報などのメタデータ）の授受はサーバ端末２と教材セレクタ端末４との間で行われ、選択された所望の教材の実行命令が教材セレクタ端末４からノンＰＣ３へ送られ、ノンＰＣ３からサーバ端末２に送られる情報は実行命令を受けた教材の配信命令（ファイルの位置情報）のみとなる。すなわち、本実施の形態において、再生中の動画情報Ｓ１と合わされる情報は教材の配信命令のみとなり、サーバ端末２とノンＰＣ３との間のネットワークの負荷の増大は軽微なものとなる。また、本実施の形態では、ノンＰＣ３と教材セレクタ端末４とを同一の部屋（教室）内に配置しているため、教室外に画面キャプチャデータのパケットが流れることがなく、全体のＬＡＮに与える負荷が軽減される。
【図面の簡単な説明】
【００３０】
【図１】本発明に係る電子ファイル配信方法の実施に用いる教材配信システムの一例を示すブロック構成図である。
【図２】この教材配信システムのサーバ端末のデータベースに格納されたアジェンダ管理情報、教材管理情報および教材の関係を示す図である。
【図３】この教材配信システムの動作を説明するためのシーケンス図である。
【図４】この教材配信システムの動作を説明するための教材セレクタ端末の表示画面における表示状況を示す図である。
【図５】従来の教材配信システムを示すブロック構成図である。
【符号の説明】
【００３１】
１…ネットワーク（無線ＬＡＮ）、２…サーバ端末、３…プロジェクタ表示端末（ノンＰＣ）、４…教材セレクタ端末、２−１…アジェンダ管理情報、ＬＳＴ…学習指導案のリスト、ＡＪ…学習指導案（アジェンダ）、２−２…教材管理情報、ＡＪLST …教材のリスト、Ａ，Ｂ，Ｃ，Ｄ…教材、ＦＡ〜ＦＤ…ファイル本体、ＰＡ〜ＰＤ…教材プロパティ情報、Ｇ…画面、Ｇ１〜Ｇ４…分割画面。
【図１】
2005259029.tif 000003
【図２】
2005259029.tif 000004
【図３】
2005259029.tif 000005
【図４】
2005259029.tif 000006
【図５】
2005259029.tif 000007